(57)【要約】      （修正有）【課題】ＤＭＢチャネルを利用するデジタルコンテンツ提供装置およびその方法を提供する。【解決手段】ＤＭＢチャネルを利用するデジタルコンテンツ提供装置１００であって、コンテンツファイルを格納するコンテンツ格納部１２４、コンテンツ格納部１２４に格納されたコンテンツファイルに対する広告情報を生成する広告情報生成部１３２、および生成された広告情報をＤＭＢチャネルを利用して一定半径内のＤＭＢ端末にブロードキャストするＤＭＢ送信部１４６を備える。ユーザはコンテンツに対する様々な情報をＤＭＢチャネルを介して獲得することができ、所望のコンテンツが存在する場合、近くのデジタルコンテンツ提供装置に移動して様々なコンテンツの提供を受けることができる。【選択図】図１
2010134936.tif 000002
【特許請求の範囲】
【請求項１】
ＤＭＢチャネルを利用するデジタルコンテンツ提供装置であって、
コンテンツファイルを格納するコンテンツ格納部；
前記コンテンツ格納部に格納されたコンテンツファイルに対する広告情報を生成する広告情報生成部；および
前記生成された広告情報をＤＭＢチャネルを利用して一定半径内のＤＭＢ端末にブロードキャストするＤＭＢ送信部；を備えるデジタルコンテンツ提供装置。
【請求項２】
前記広告情報は前記デジタルコンテンツ提供装置の位置情報を含むことを特徴とする、請求項１に記載のデジタルコンテンツ提供装置。
【請求項３】
前記広告情報生成部は、
設定された基準に応じ、前記コンテンツ格納部に格納されたコンテンツファイルのうちの一つ以上のコンテンツファイルを選択するコンテンツファイル選択部；および
前記選択されたコンテンツファイルから広告用画面情報を抽出する画面情報抽出部を備えることを特徴とする、請求項１に記載のデジタルコンテンツ提供装置。
【請求項４】
前記コンテンツファイル選択部は、
ユーザからの選択頻度数に基づき、前記コンテンツが格納されたコンテンツファイルのうちの一つ以上のコンテンツファイルを選択することを特徴とする、請求項３に記載のデジタルコンテンツ提供装置。
【請求項５】
前記選択されたコンテンツファイルからコンテンツ名、サービスタイプ、再生時間、解像度、再生時に必要なライブラリ、あらすじ、配布条件、製作者、代表画面ファイル名、販売価格のうちの一つ以上のメタデータを抽出するメタデータ抽出部をさらに備えることを特徴とする、請求項３に記載のデジタルコンテンツ提供装置。
【請求項６】
前記画面情報抽出部は、
前記コンテンツファイルが動画ファイルである場合、複数の代表画面を抽出し、ユーザ選択の入力を受けて前記複数の代表画面のうちの一つを前記動画ファイルに対する代表画面に設定することを特徴とする、請求項３に記載のデジタルコンテンツ提供装置。
【請求項７】
ＤＭＢ信号を受信するＤＭＢ受信部；
前記受信したＤＭＢ信号からメタ情報を抽出する情報抽出部；および
前記メタ情報に基づいて設定された録画規則に従ってＤＭＢ放送コンテンツを録画する録画部；をさらに備えることを特徴とする、請求項１に記載のデジタルコンテンツ提供装置。
【請求項８】
前記録画されたＤＭＢ放送コンテンツと関連したメタデータの入力を受け、販売可能なコンテンツファイルに変換して前記コンテンツ格納部に格納するコンテンツ変換部をさらに備えることを特徴とする、請求項７に記載のデジタルコンテンツ提供装置。
【請求項９】
前記メタデータは、
前記録画されたＤＭＢ放送コンテンツの内容、人物情報、再生時間、ファイル大きさ、価格、カテゴリー情報のうちの一つ以上を含むことを特徴とする、請求項８に記載のデジタルコンテンツ提供装置。
【請求項１０】
前記特定メタ情報検索のための録画規則の入力をユーザから受けて格納する録画規則格納部をさらに備えることを特徴とする、請求項７に記載のデジタルコンテンツ提供装置。
【請求項１１】
前記ＤＭＢ送信部は、
地上波ＤＭＢチャネルを利用して一定半径内のＤＭＢ端末に公告情報をブロードキャストすることを特徴とする、請求項１に記載のデジタルコンテンツ提供装置。
【請求項１２】
デジタルコンテンツ提供装置がＤＭＢチャネルを利用してデジタルコンテンツを提供する方法であって、
コンテンツ格納部に格納されたコンテンツファイルに対する広告情報を生成するステップ；および
前記生成された広告情報をＤＭＢチャネルを利用して一定半径内のＤＭＢ端末にブロードキャストするステップ；
を含むデジタルコンテンツ提供方法。
【請求項１３】
前記広告情報は前記デジタルコンテンツ提供装置の位置情報を含むことを特徴とする、請求項１２に記載のデジタルコンテンツ提供方法。
【請求項１４】
前記格納されたコンテンツファイルに対する広告情報を生成するステップは、
設定された基準に応じて前記格納されたコンテンツファイルのうちの一つ以上のコンテンツファイルを選択し、選択されたコンテンツファイルから広告用画面情報を抽出するステップ；および
前記選択されたコンテンツファイルからメタデータを抽出するステップを含むことを特徴とする、請求項１２に記載のデジタルコンテンツ提供方法。
【請求項１５】
ＤＭＢ信号を受信するステップ；
前記ＤＭＢ信号からメタ情報を抽出し、前記抽出したメタ情報に基づいて設定された録画規則に従ってＤＭＢ放送コンテンツを録画するステップ；および
前記録画されたＤＭＢ放送コンテンツと関連したメタデータの入力を受け、販売可能なコンテンツファイルに変換して前記コンテンツ格納部に格納するステップ；をさらに含むことを特徴とする、請求項１２に記載のデジタルコンテンツ提供方法。
【発明の詳細な説明】
【技術分野】
【０００１】
本発明はデジタルコンテンツ提供装置およびその方法に関する。より詳しくは、ＤＭＢチャネルを利用するデジタルコンテンツ提供装置およびその方法に関する。
【背景技術】
【０００２】
最近、代表的な個人用携帯通信装置である携帯電話に各種付加機能が様々な形態で搭載されている。携帯電話は既に高画素カメラフォン、ＤＭＢ（Ｄｉｇｉｔａｌ  Ｍｕｌｔｉｍｅｄｉａ  Ｂｒｏａｄｃａｓｔｉｎｇ）受信などの機能を揃えており、特に既存のスマートフォンなどが有したファイルビューアーやテキストビューアーを既に搭載している現状である。また、動画プレーヤー、ＭＰ３プレーヤー機能を搭載した携帯電話はもはや広く常用されている代表的な携帯用端末となった。また、最近、ＰＭＰ（Ｐｏｒｔａｂｌｅ  Ｍｕｌｔｉｍｅｄｉａ  Ｐｌａｙｅｒ）は、本来の動画および音楽の再生、テキストビューアー、ナビゲーション機能の他に、ＨＳＤＰＡモデムまたは無線ＬＡＮデバイスのような無線通信装置とソフトウェアであるインターネットブラウザー（ｂｒｏｗｓｅｒ）を搭載してインターネットに無線接続する機能を有するようになった。最近、アップル社から市場に発表されたｉ−Ｐｏｄ  ｔｏｕｃｈなども、様々な動画および音楽の再生機能、スライドショー機能などを有し、そのもので無線ＬＡＮ機能を有し、インターネットに接続してオンライン上でデジタルコンテンツを購買できる機能を提供している。
【０００３】
一方、上記で言及した様々な携帯用端末は様々な技術的進化過程を経て大衆に迅速に普及されている。このような傾向に応じ、現在、オンライン上で販売している様々な映画、ドラマ、ミュージックビデオ、電子ブック（ｅ−ｂｏｏｋ）などのようなマルチメディアコンテンツをオフライン上で携帯用端末に提供または販売するためのデジタルコンテンツ提供装置が開発されている。
【０００４】
前述したデジタルコンテンツ提供装置は、ユーザが集まっている室内または室外に設置され、ユーザの要求に応じて既に格納された有線データネットワークを利用して中央サーバから該当デジタルコンテンツの伝送を受けて携帯用端末に伝送し、これによる課金を行う装置である。このようなデジタルコンテンツ提供装置は、別途のパケット使用料を課することなくユーザの携帯用端末にコンテンツデータを提供する。そのため、ユーザは既存の移動通信会社の無線インターネットサービスを通してデジタルコンテンツの提供を受けることより遥かに安価で所望の場所で便利にデジタルコンテンツの提供を受けることができる。
【０００５】
しかし、前述したようなデジタルコンテンツ提供装置が多くの長所を有しているにもかかわらず、ユーザ（すなわち、購買者）がデジタルコンテンツ提供装置の位置を認知できなかったり、デジタルコンテンツ提供装置から販売している様々なコンテンツに対する情報の提供を受けなかったりして購買失敗につながる短所がある。
【０００６】
また、デジタルコンテンツ提供装置を介してコンテンツを販売するためには、コンテンツ提供装置を運用する事業者が周期的にコンテンツを一定形式に合わせて変換してアップロードしなければならない不便がある。すなわち、コンテンツ提供装置を介してコンテンツの販売が可能になるように一定形式に合わせて変換しなければならず、そのコンテンツに対するメタ情報（例えば、スクリーンショット）をいちいち生成してコンテンツと共にアップロードさせなければならない煩わしさがあった。
【先行技術文献】
【特許文献】
【０００７】
【特許文献１】韓国特許公開２００６−０００３５５０号公報
【発明の概要】
【発明が解決しようとする課題】
【０００８】
本発明は、上記のような問題点を解決するために導き出されたものであって、
ＤＭＢチャネルを介してデジタルコンテンツ提供装置から販売している様々なコンテンツに対する情報およびコンテンツ提供装置の位置情報を一定半径内に存在するＤＭＢ受信端末に提供することにより、ＤＭＢチャネルを介して様々なコンテンツに対する情報およびコンテンツ提供装置に対する位置情報を受信したユーザが容易にコンテンツ提供装置にアクセスして所望するコンテンツの提供を受けるようにすることを目的とする。
【０００９】
また、ＤＭＢチャネルを介して提供される様々なコンテンツを受信し、販売可能な所定の形式に変換して自動で格納することにより（該当コンテンツに対するメタデータを生成して、販売時に要求される仕様にコンテンツを変換して格納することにより）、コンテンツ自動販売機の運用者がいちいちコンテンツをアップロードするためにコンテンツを変換しなければならない煩わしさを解消できるだけでなく、より様々なコンテンツをユーザに提供することができる。
【課題を解決するための手段】
【００１０】
本発明のデジタルコンテンツ提供装置は、ＤＭＢチャネルを利用するデジタルコンテンツ提供装置であって、コンテンツファイルを格納するコンテンツ格納部と；前記コンテンツ格納部に格納されたコンテンツファイルに対する広告情報を生成する広告情報生成部；および前記生成された広告情報をＤＭＢチャネルを利用して一定半径内のＤＭＢ端末にブロードキャストするＤＭＢ送信部を備える。
特に、前記広告情報は前記デジタルコンテンツ提供装置の位置情報を含むことを特徴とする。
【００１１】
また、前記広告情報生成部は、設定された基準に応じ、前記コンテンツ格納部に格納されたコンテンツファイルのうちの一つ以上のコンテンツファイルを選択するコンテンツファイル選択部；および前記選択されたコンテンツファイルから広告用画面情報を抽出する画面情報抽出部を備えることを特徴とする。
【００１２】
また、前記コンテンツファイル選択部は、ユーザからの選択頻度数に基づき、前記コンテンツが格納されたコンテンツファイルのうちの一つ以上のコンテンツファイルを選択することを特徴とする。
【００１３】
また、前記選択されたコンテンツファイルからコンテンツ名、サービスタイプ、再生時間、解像度、再生時に必要なライブラリ、あらすじ、配布条件、製作者、代表画面ファイル名、販売価格のうちの一つ以上のメタデータを抽出するメタデータ抽出部をさらに備えることを特徴とする。
【００１４】
また、前記画面情報抽出部は、前記コンテンツファイルが動画ファイルである場合、複数の代表画面を抽出し、ユーザ選択の入力を受けて前記複数の代表画面のうちの一つを前記動画ファイルに対する代表画面に設定することを特徴とする。
【００１５】
また、ＤＭＢ信号を受信するＤＭＢ受信部と；前記受信したＤＭＢ信号からメタ情報を抽出する情報抽出部；および前記メタ情報に基づいて設定された録画規則に従ってＤＭＢ放送コンテンツを録画する録画部をさらに備えることを特徴とする。
【００１６】
また、前記録画されたＤＭＢ放送コンテンツと関連したメタデータの入力を受け、販売可能なコンテンツファイルに変換して前記コンテンツ格納部に格納するコンテンツ変換部をさらに備えることを特徴とする。
【００１７】
また、前記メタデータは、前記録画されたＤＭＢ放送コンテンツの内容、人物情報、再生時間、ファイル大きさ、価格、カテゴリー情報のうちの一つ以上を含むことを特徴とする。
【００１８】
また、前記特定メタ情報検索のための録画規則の入力をユーザから受けて格納する録画規則格納部をさらに備えることを特徴とする。
また、前記ＤＭＢ送信部は、地上波ＤＭＢチャネルを利用して一定半径内のＤＭＢ端末に公告情報をブロードキャストすることを特徴とする。
【００１９】
一方、本発明のデジタルコンテンツ提供方法は、デジタルコンテンツ提供装置がＤＭＢチャネルを利用してデジタルコンテンツを提供する方法であって、コンテンツ格納部に格納されたコンテンツファイルに対する広告情報を生成するステップ；および前記生成された広告情報をＤＭＢチャネルを利用して一定半径内のＤＭＢ端末にブロードキャストするステップを含む。
特に、前記広告情報は前記デジタルコンテンツ提供装置の位置情報を含むことを特徴とする。
【００２０】
また、前記格納されたコンテンツファイルに対する広告情報を生成するステップは、設定された基準に応じて前記格納されたコンテンツファイルのうちの一つ以上のコンテンツファイルを選択し、選択されたコンテンツファイルから広告用画面情報を抽出するステップ；および前記選択されたコンテンツファイルからメタデータを抽出するステップを含むことを特徴とする。
【００２１】
また、ＤＭＢ信号を受信するステップと；前記ＤＭＢ信号からメタ情報を抽出し、前記抽出したメタ情報に基づいて設定された録画規則に従ってＤＭＢ放送コンテンツを録画するステップ；および前記録画されたＤＭＢ放送コンテンツと関連したメタデータの入力を受け、販売可能なコンテンツファイルに変換して前記コンテンツ格納部に格納するステップをさらに含むことを特徴とする。
【発明の効果】
【００２２】
本発明により、次のような効果を得ることができる。
デジタルコンテンツ提供装置を利用するユーザは、コンテンツに対する様々な情報をＤＭＢチャネルを介して獲得することができ、所望のコンテンツが存在する場合に近くのデジタルコンテンツ提供装置に移動して様々なコンテンツの提供を受けることができる。
【００２３】
また、デジタルコンテンツ提供装置を介してコンテンツを販売しようとする事業者は、ＤＭＢチャネルを介して受信する様々なコンテンツを利用して販売可能なコンテンツの多様性を図ることができる。したがって、いちいちコンテンツをアッデートするためにコンテンツを変換してアップロードしなければならない煩わしさが減少するだけでなく、ユーザに様々なコンテンツを提供できるために売り上げ向上の効果も期待できる。
【図面の簡単な説明】
【００２４】
【図１】本発明に係るＤＭＢチャネルを利用するデジタルコンテンツ提供装置を詳細に説明するための図である。
【図２】図１の広告情報生成部の構成を詳細に説明するための図である。
【図３】一定半径内のＤＭＢ端末に広告情報および位置情報が含まれた伝送ストリームデータを伝送する本発明のデジタルコンテンツ提供装置を説明するための例示図である。
【図４】本発明に係るデジタルコンテンツ提供装置から広告情報を受信したＤＭＢ端末が表示手段を介して受信した広告情報をディスプレイする一例を示す例示図である。
【図５】図４に示された最新映画紹介画面の一例を示す例示図である。
【図６】図４に示されたコンテンツ提供装置の位置情報画面の一例を示す例示図である。
【図７】本発明に係るデジタルコンテンツ提供装置がＤＭＢチャネルを介して受信したＤＭＢ信号を利用してＤＭＢ放送コンテンツを獲得する過程を詳細に説明するためのフローチャートである。
【図８】本発明に係るコンテンツ提供装置がＤＭＢチャネルを利用して広告を行う方法を詳細に説明するためのフローチャートである。
【発明を実施するための形態】
【００２５】
本発明について添付図面を参照してより詳細に説明すれば次の通りである。但し、繰り返される説明、本発明の要旨を不要に濁す恐れがある公知機能および構成に対する詳細な説明は省略する。本発明の実施形態は当業界で平均的な知識を有する者に本発明をより完全に説明するために提供されるものである。したがって、図面における要素の形状および大きさなどはより明確な説明のために誇張し得る。
【００２６】
以下、本発明の好ましい実施形態について添付図面を参照してより詳細に説明する。
図１は本発明に係るＤＭＢチャネルを利用するデジタルコンテンツ提供装置（以下、コンテンツ提供装置）を詳細に説明するための図である。図２は図１の広告情報生成部１３２の構成を詳細に説明するための図である。
【００２７】
図１に示すように、本発明に係るコンテンツ提供装置１００は、ＤＭＢ受信部１１０、受信信号処理部１１２、エラー補正部１１４、情報抽出部１１６、録画部１１８、録画規則格納部１２０、コンテンツ格納部１２４、コンテンツ変換部１２６、制御部１３０、広告情報生成部１３２、相互作用部１３４、ＤＭＢ送信部１４６、送信信号処理部１４２、およびネットワーク通信部１５０を備える。
【００２８】
ＤＭＢ受信部１１０はＤＭＢチャネル（衛星および地上波ＤＭＢチャネル含む）を介して放送されているＤＭＢ（Ｄｉｇｉｔａｌ  Ｍｕｌｔｉｍｅｄｉａ  Ｂｒｏａｄｃａｔｉｎｇ）信号を受信して受信信号処理部１１２に伝達する。
【００２９】
受信信号処理部１１２は、ＤＭＢ受信部１１０を介して受信したＤＭＢ周波数帯域の信号を基底帯域の直交信号に変換し、直交信号からチャネルを選択し、選択されたチャネルに該当する本来データを抽出した後、エラー補正部１１４を介して順方向エラー補正（ＦＥＣ：Ｆｏｗａｒｄ  Ｅｒｒｏｒ  Ｃｏｒｒｅｃｔｉｏｎ）を処理してＴＳ（Ｔｒａｎｓｐｏｒｔ  Ｓｔｒｅａｍ）データを出力する。ＤＭＢは単方向通信であるのでエラー発生時に再伝送を要求することができないため、本発明に係るコンテンツ提供装置１００は、エラー補正部１１４を介してＤＭＢ信号から抽出されたデータに対して順方向エラー補正を実施した後にＴＳデータを出力する。前記ＴＳデータはＤＭＢ放送システムがビデオ／オーディオストリーム（Ｓｔｒｅａｍ）を伝送するための規格であり、色々なプログラム（Ｐｒｏｇｒａｍ）のオーディオ／ビデオストリームを、エラー補正符号を用いてパケット（Ｐａｃｋｅｔ）単位で多重化して伝送する。
【００３０】
情報抽出部１１６は受信信号処理部１１２によって出力されるＴＳデータからメタ情報（例えば、ＭＰＥＧ−７情報）を抽出する。
多重化されて伝送されるＤＭＢ信号には、ＭＰＥＧ−２やＭＰＥＧ−４などの放送ストリーム（Ｓｔｒｅａｍ）の他に、情報検索のためのＭＰＥＧ−７メタ情報が含まれている。ＭＰＥＧ−７メタ情報には広告情報や、放送出演者の情報などの様々な情報が放送製作時に含まれるため、情報抽出部１１６は受信信号処理部１１２によって出力されたＴＳデータからＭＰＥＧ−７情報を抽出することができる。
【００３１】
録画部１１８は、情報抽出部１１６によって抽出されたＭＰＥＧ−７情報をパーシング（Ｐａｒｓｉｎｇ）して情報を分析し、分析された情報のうちの特定メタ情報が含まれたＤＭＢ放送コンテンツを録画する。より詳しくは、録画部１１８は、情報抽出部１１６によって抽出されたＭＰＥＧ−７情報に基づき、録画規則格納部１２０に格納された録画規則に従って該当ＤＭＢ放送コンテンツを録画する。ここで、録画規則格納部１２０は、特定メタ情報検索のための録画規則の入力をユーザ（コンテンツ提供装置運用者）から受けて格納する。
【００３２】
例えば、ＤＭＢ放送コンテンツ中、野球中継放送に対して全部録画するように録画規則が設定されている場合、録画部１１８は、前述したメタ情報に基づき、ＤＭＢチャネルを介して放送される全ての野球中継プログラムを録画する。また、特定人が出演する放送に対して全部録画するように録画規則が設定されている場合、録画部１１８は、前述したメタ情報に基づき、ＤＭＢチャネルを介して放送される放送コンテンツのうちの前記特定人が出演する全ての放送コンテンツを録画する。
すなわち、録画部１１８では録画規則に従ってＤＭＢ放送コンテンツを選別的に録画することができる。したがって、特定放送コンテンツを自動で抽出して録画することにより、放送後ユーザに望む放送映像を視聴できるようにしてユーザの便宜性を向上させることができる。
【００３３】
コンテンツ変換部１２６は、録画部１１８を介して録画されたＤＭＢ放送コンテンツと関連したメタデータの入力を受け、販売可能なコンテンツファイルに変換してコンテンツ格納部１２４に格納する。一般的にＤＭＢチャネルを介して受信するＤＭＢ放送コンテンツの場合、販売のための形式で伝送されないため、該当放送コンテンツを販売可能な形式に変換しなければならない。すなわち、ＤＭＢチャネルを介して受信するＤＭＢ放送コンテンツを直ちに録画した場合、購買者が該当放送コンテンツの購買時に参考できる付加情報がないため、このような付加情報をＧＵＩ（ｇｒａｐｈｉｃａｌ  ｕｓｅｒ  ｉｎｔｅｒｆａｃｅ）形態で生成しなければならない。
【００３４】
このために、コンテンツ変換部１２６は、録画部１１８を介して録画されたＤＭＢ放送コンテンツと関連したメタデータをコンテンツ事業者３００に要請し、それによりコンテンツ事業者３００から受信した放送コンテンツに対するメタデータを利用してコンテンツを変換し、変換されたコンテンツをコンテンツ格納部１２４に格納する。ここで、コンテンツ事業者３００は本発明に係るコンテンツ提供装置１００にコンテンツおよびそれに伴うメタデータを提供するための事業者であり、コンテンツ提供装置１００にデジタルコンテンツおよびメタデータを伝送するためのコンテンツサーバ３１０、および様々なデジタルコンテンツおよびそれに伴うメタデータを格納しているコンテンツＤＢ３２０を備える。コンテンツサーバ３１０はオンラインを通して様々なマルチメディアコンテンツをコンテンツ提供装置１００に伝送し、コンテンツ提供装置１００はコンテンツサーバ３１０からマルチメディアコンテンツを受信してコンテンツをアップデートする。
【００３５】
一方、コンテンツ変換部１２６がコンテンツ事業者３００から受信するメタデータには録画されたＤＭＢ放送コンテンツの内容、人物情報、再生時間、ファイル大きさ、価格、カテゴリー情報などが含まれ得る。
この他にも、コンテンツ変換部１２６は情報抽出部１１６によって抽出されたＭＰＥＧ−７情報を利用してコンテンツ販売のための付加情報を獲得することもできる。
【００３６】
また、コンテンツ変換部１２６は、イメージ変換部（図示せず）、文書変換部（図示せず）、動画変換部（図示せず）、およびユーザ端末において動作する応用プログラムを変換するためのコンパイラ／リンカー（図示せず）を備える。
【００３７】
イメージ変換部は、ユーザ端末が支援するイメージの圧縮フォーマット、ユーザ端末の余裕格納空間大きさ、ユーザ端末の画面情報などの情報の入力を受け、これを利用してコンテンツ格納部１２４に格納されたイメージをユーザ端末に最適化された形態に変換する。
【００３８】
文書変換部は、ユーザ端末が支援する文書の種類、ユーザ端末の余裕格納空間大きさ、ユーザ端末の画面情報などの入力を受け、これを利用してコンテンツ格納部１２４に格納された文書をユーザ端末に最適化された形態に変換する。
動画変換部は、ユーザ端末が支援する動画の圧縮形式、ユーザ端末の余裕格納空間大きさ、ユーザ端末の画面情報、ユーザ端末のメインメモリ大きさ、およびＣＰＵ情報などの入力を受け、これを利用してコンテンツ格納部１２４に格納された動画をユーザ端末に最適化された形態に変換する。
【００３９】
また、コンパイラ／リンカーは、ユーザ端末が搭載しているプラットフォームとライブラリバージョン情報、搭載したライブラリの種類、ユーザ端末のメールメモリ大きさ、ＣＰＵ情報、およびユーザ端末の画面情報などの入力を受け、これを利用してコンテンツ格納部１２４に格納されたコンテンツを再びビルディング（ｂｕｉｌｄ）する動作を行う。
【００４０】
コンテンツ格納部１２４はコンテンツ変換部１２６によって変換されたコンテンツファイルの入力を受けて格納する。例えば、コンテンツ格納部１２４には動画、イメージ、ＭＰ３ファイル、文書などが格納される。コンテンツ格納部１２４に格納されるコンテンツはオリジナルコンテンツファイルまたは様々なユーザ端末に適するように様々な形態に変換されたコンテンツファイルであり得る。
【００４１】
ネットワーク通信部１５０は、本発明のコンテンツ提供装置１００が広告事業者２００の広告サーバ２１０およびコンテンツ事業者３００のコンテンツサーバ３１０と連結されて通信を行う。
【００４２】
課金サーバ（図示せず）は、ユーザが購入したコンテンツに対して課金を行う部分であり、現金、カード、Ｅ−マネー、携帯電話決済などの既に存在する様々な方法によって課金を行う。
【００４３】
広告情報生成部１３２はコンテンツ格納部１２４に格納されたコンテンツファイルに対する広告情報を生成する。
広告情報生成部１３２を介して生成された広告情報は制御部１３０を経て送信信号処理部１４２に伝達され、送信信号処理部１４２は制御部１３０からの入力を受けた広告情報をＤＭＢチャネルを介してブロードキャストできるようにＤＭＢ規格に相応する伝送ストリームデータに変換する。
このために、広告情報生成部１３２はコンテンツファイル選択部１０、画面情報抽出部２０、およびメタデータ抽出部３０を備える。
【００４４】
コンテンツファイル選択部１０は、設定された基準に応じてコンテンツ格納部１２４に格納されたコンテンツファイルのうちの一つ以上のコンテンツファイルを選択する。この時、コンテンツファイル選択部１０は、コンテンツ格納部１２４に格納されているコンテンツファイルのうちの人気のあるコンテンツ（ユーザによる選択頻度数の高いコンテンツ）を選択するか、最近アップデートされたコンテンツファイルを選択することにより、生成された広告情報によって広告効果を極大化できるようにする。すなわち、広告情報を受信する受信者が広告情報を通して購買欲求を有するようにする。
【００４５】
コンテンツファイル選択部１０は、制御部１３０を介してコンテンツ全体使用統計に対する情報の入力を受け、これを利用して選別的にコンテンツファイルを選択することができる。
【００４６】
画面情報抽出部２０はコンテンツファイル選択部１０によって選択されたコンテンツファイルから広告用画面情報（例えば、スクリーンショット）を抽出する。画面情報抽出部２０は、コンテンツファイル選択部１０を介して選択されたコンテンツファイルの種類を把握して広告用画面抽出が可能であるか否かを判断し、広告用画面抽出が可能である場合に該当コンテンツファイルから広告用画面情報を抽出する。この時、コンテンツファイルのうちの広告用画面抽出が可能なコンテンツファイルにはＭＰＥＧ４、ＡＶＩ、ＪＰＥＧなどがある。例えば、画面情報抽出部２０は、コンテンツファイルが動画である場合、一定時間の間隔で広告用画面を抽出する。画面情報抽出部２０は、コンテンツファイルに対する広告用画面が複数抽出される場合、相互作用部１３４を介してユーザにユーザ選択を要請し、それに応じたユーザ選択の入力を受けて、一つの広告用画面を該当コンテンツファイルに対する広告用画面に設定する。前述した広告用画面はユーザがコンテンツ購買時に購入しようとするコンテンツに対する概略情報を習得するためにユーザに表示されるイメージであり、一般のビットマップイメージ形式（例えば、ＢＭＰ、ＰＮＧ、ＪＰＥＧなど）で格納されることができる。
【００４７】
メタデータ抽出部３０はコンテンツファイル選択部１０を介して選択されたコンテンツファイルの各々に対するメタデータを抽出する。メタデータ抽出部３０を介して抽出されるメタデータには、コンテンツ名、サービスタイプ、再生時間、解像度、再生時に必要なライブラリ、あらすじ、配布条件、製作者、代表画面ファイル名、販売価格などが含まれ得る。
【００４８】
一方、メタデータ抽出部３０は、コンテンツ格納部１２４に格納された特定コンテンツファイルからメタデータを抽出できない場合、コンテンツサーバ３１０から該当コンテンツファイルに対するメタデータの提供を受けることができる。
【００４９】
他の方法としては、広告情報生成部１３２は、相互作用部１３４を介してユーザに広告情報を生成するために必要なメタデータの入力を要請し、それに応じた情報の入力をユーザから受けることもできる。
【００５０】
一方、広告情報生成部１３２によって生成された広告情報には、本発明に係るコンテンツ提供装置１００から販売中であるコンテンツに対する情報だけでなく、コンテンツ提供装置１００が設置された場所に対する位置情報も含まれる。すなわち、本発明に係るコンテンツ提供装置１００は、販売中であるコンテンツに対する様々な情報と共にコンテンツ提供装置１００が設置された場所に対する位置情報をＤＭＢチャネルを介して一定半径内のＤＭＢ端末に伝送する。したがって、ユーザは自身のＤＭＢ端末を通して隣接しているコンテンツ提供装置から獲得可能なコンテンツに対する情報の提供を持続的に受けることができ、購買を希望するコンテンツが存在する場合、近くのコンテンツ提供装置に容易にアクセスして望むコンテンツの提供を受けることができる。
【００５１】
また、ユーザが購買を希望するコンテンツが存在する場合、直ちにコンテンツ提供装置にアクセスして望むコンテンツを購入すれば良いため、コンテンツ提供装置に自身が所望するコンテンツが存在するか否かを検索するために多くの時間を費やさなくて済む。
【００５２】
一般的に移動中であるユーザの場合、近くに存在するコンテンツ提供装置の設置位置を認知できなかったり、コンテンツ提供装置から販売中である人気コンテンツを認知できなかったりする。しかし、本発明によれば、上記のような問題点を解決することができる。
【００５３】
制御部１３０は本発明を実現するために前記各部を制御する。より詳しくは、制御部１３０は、コンテンツ変換部１２６からのメタデータの要請に応じて、ネットワーク通信部１５０を介してコンテンツサーバ３１０にメタデータを要請する。また、コンテンツサーバ３１０から伝送されるメタデータをネットワーク通信部１５０を介して受信してコンテンツ変換部１２６に伝達する。
【００５４】
また、制御部１３０は、本発明に係るコンテンツ提供装置１００に接続してコンテンツをダウンロードするユーザ端末の情報、コンテンツ購買履歴、関心コンテンツなどの顧客管理情報を格納し、コンテンツ全体使用統計（例えば、ユーザが最も多く選択したコンテンツの選択頻度数、人気コンテンツリストなど）を管理する。
【００５５】
送信信号処理部１４２は、広告情報生成部１３２から生成された広告情報を制御部１３０から受信し、受信した広告情報を地上波ＤＭＢチャネルを介して伝送できるように定められた伝送ストリームデータ規格（例えば、ＭＰＥＧ−２ＴＳ）に変換してＤＭＢ送信部１４６に伝達する。
【００５６】
ＤＭＢ送信部１４６は、送信信号処理部１４２から広告情報を含む伝送ストリームの入力を受けて、一定半径内のＤＭＢ受信端末にブロードキャストする（図３参照）。本発明におけるＤＭＢ送信部１４６は、小型の基地局型装置を使用して一定半径内のＤＭＢ端末だけに送信信号が到達できるようにし、隣接する他の領域においてはその領域のコンテンツ提供装置からの送信信号を受信できるようにすることにより、全体的に多重セルを形成できるように設置されることが好ましい。
【００５７】
また、ＤＭＢ送信部１４６は地上波ＤＭＢチャネルを利用してＤＭＢ端末に広告情報をブロードキャストすることが好ましい。地上波ＤＭＢの場合、ユーザが無料で利用できるため、前記広告情報の効果をより極大化することができる。
【００５８】
一方、本発明に係るコンテンツ提供装置１００は、広告サーバ２１０および広告ＤＢ２２０を備える広告事業者２００から広告情報（例えば、商品広告など）を受信して、ＤＭＢ送信部１４６を介して送信される伝送ストリームに含ませて伝送することもできる。
【００５９】
前記構成によれば、本発明に係るコンテンツ提供装置を運用する運用者の場合、ＤＭＢチャネルを利用した広告を通してコンテンツ販売回数を増加させることができ、ＤＭＢチャネルを介して伝送される伝送ストリームデータに商品広告のような別途の広告映像を挿入して広告できることによって別途の収益源を創出することができる。
【００６０】
図４は広告情報生成部１３２を介して生成された広告情報を受信したＤＭＢ端末が表示手段を介して広告情報を表示する一例を示す図である。図５は図４に示された最新映画紹介画面３の一例を示す例示図である。また、図６は図４に示されたコンテンツ提供装置の位置情報画面９の一例を示す例示図である。
【００６１】
図４に示すように、本発明に係るコンテンツ提供装置１００から提供（販売）中であるコンテンツに対する情報およびコンテンツ提供装置１００の位置情報が含まれる。例えば、広告情報を受信したＤＭＢ端末は、表示手段を介し、人気ミュージックビデオ紹介画面１、最新映画紹介画面３、人気漫画紹介画面５、商品広告画面７、コンテンツ提供装置の位置情報画面９などをユーザに表示する。
【００６２】
図７は本発明に係るデジタルコンテンツ提供装置（以下、コンテンツ提供装置）がＤＭＢチャネルを介して受信したＤＭＢ信号を利用してＤＭＢ放送コンテンツを獲得する過程を詳細に説明するためのフローチャートである。
図７に示すように、先ず、本発明に係るコンテンツ提供装置１００は、ＤＭＢチャネル（衛星および地上波ＤＭＢチャネルを含む）を介して放送されているＤＭＢ（Ｄｉｇｉｔａｌ  Ｍｕｌｔｉｍｅｄｉａ  Ｂｒｏａｄｃａｔｉｎｇ）信号を受信する（Ｓ１００）。
【００６３】
次に、コンテンツ提供装置１００は、Ｓ１００ステップで受信したＤＭＢ信号を基底帯域の直交信号に変換し、直交信号からチャネルを選択し、選択されたチャネルに該当する本来データを抽出した後（Ｓ１１０）、順方向エラー補正（ＦＥＣ）を行ってＴＳデータを出力する。ＤＭＢは単方向通信であるのでエラー発生時に再伝送を要求することができないため、本発明に係るコンテンツ提供装置１００は、順方向エラー補正によりＤＭＢ信号から抽出したデータに対して補正を行った後にＴＳデータを出力する（Ｓ１２０）。
【００６４】
ＴＳデータが出力されれば、ＴＳデータからメタ情報（例えば、ＭＰＥＧ−７情報）を抽出する（Ｓ１３０）。多重化されて伝送されるＤＭＢ信号には、ＭＰＥＧ−２やＭＰＥＧ−４などの放送ストリームの他に、情報検索のためのＭＰＥＧ−７メタ情報が含まれている。ＭＰＥＧ−７メタ情報には、広告情報や、放送出演者の情報などの様々な情報が放送製作時に含まれるため、Ｓ１２０ステップで出力されたＴＳデータからＭＰＥＧ−７情報を抽出することができる。
【００６５】
次に、コンテンツ提供装置１００は、Ｓ１３０ステップで抽出されたＭＰＥＧ−７情報をパーシング（Ｐａｒｓｉｎｇ）して情報を分析し、分析した情報のうちの特定メタ情報が含まれたＤＭＢ放送コンテンツを録画する（Ｓ１４０）。より詳しくは、抽出されたＭＰＥＧ−７情報に基づいて設定された録画規則に従って該当ＤＭＢ放送コンテンツを録画する。ここで、録画規則は特定メタ情報を検索するためのものであり、ユーザ（コンテンツ提供装置運用者）からの入力を受けて設定する。
【００６６】
例えば、ＤＭＢ放送コンテンツ中、野球中継放送に対して全部録画するように録画規則が設定されている場合、コンテンツ提供装置１００は、前述したメタ情報に基づいてＤＭＢチャネルを介して放送される全ての野球中継プログラムを録画する。また、特定人が出演する放送に対して全部録画するように録画規則が設定されている場合、コンテンツ提供装置１００は、前述したメタ情報に基づいてＤＭＢチャネルを介して放送される放送コンテンツのうちの前記特定人が出演する全ての放送コンテンツを録画する。すなわち、本発明に係るコンテンツ提供装置１００は、録画規則に従ってＤＭＢ放送コンテンツを選別的に録画することができる。そのため、特定放送コンテンツを自動で抽出して録画することにより、放送後ユーザに所望の放送映像を選別的に視聴できるようにする。
【００６７】
次に、コンテンツ提供装置１００は、Ｓ１４０ステップで録画されたＤＭＢ放送コンテンツを販売可能な形式に変換するために、録画されたＤＭＢ放送コンテンツと関連したメタデータをコンテンツ事業者に要請し（Ｓ１５０）、コンテンツ事業者から伝送されるメタデータを受信する（Ｓ１６０）。ここで、コンテンツ事業者は録画されたＳＭＢ放送コンテンツと関連したメタデータを提供する主体であって、本発明に係るコンテンツ提供装置１００とは別個に構成される。
【００６８】
一般的にＤＭＢチャネルを介して受信するＤＭＢ放送コンテンツの場合、販売のための形式で伝送されないため、該当放送コンテンツを販売可能な形式に変換しなければならない。すなわち、ＤＭＢチャネルを介して受信するＤＭＢ放送コンテンツを直ちに録画して格納する場合、購買者が該当放送コンテンツを購買する時に参考できる付加情報がないため、販売用コンテンツとして適していない。よって、販売時に参考になり得る付加情報をＧＵＩ形態で生成しなければならない。
【００６９】
このために、コンテンツ提供装置１００は、Ｓ１４０ステップで録画されたＤＭＢ放送コンテンツと関連したメタデータをコンテンツ事業者に要請し、コンテンツ事業者から受信した放送コンテンツに対するメタデータを利用して販売可能な形式にコンテンツを変換する（Ｓ１７０）。ここで、Ｓ１３０ステップを通して抽出したＭＰＥＧ−７情報を利用してコンテンツを販売するための付加情報を獲得することもできる。コンテンツ提供装置１００がコンテンツ事業者またはＭＰＥＧ−７情報から獲得するメタデータには、録画されたＤＭＢ放送コンテンツの内容、人物情報、再生時間、ファイル大きさ、価格、カテゴリー情報などが含まれ得る。
最後に、コンテンツ提供装置１００はＳ１７０ステップで変換されたコンテンツを格納する（Ｓ１８０）。
【００７０】
前述したことによれば、ＤＭＢチャネルを介して伝送されるＤＭＢ放送コンテンツを直接格納して販売できるため、コンテンツの需給が思った通りではない場合にも人気のあった優秀コンテンツを再販売してコンテンツの需給を円滑にすることができる。また、各地域に設置されたコンテンツ提供装置から優秀地上波ＤＭＢ放送コンテンツを抽出して中央サーバに伝送することにより、前述したＤＭＢ放送コンテンツを全国で販売することが可能になる。すなわち、本発明によれば、地域単位の小規模団体から作られる優れたコンテンツを全国で再販売できる流通経路を確保することができる。
【００７１】
図８は本発明に係るコンテンツ提供装置がＤＭＢチャネルを利用して広告を行う方法を詳細に説明するためのフローチャートである。
図８に示すように、本発明の他のコンテンツ提供装置１００は、格納されたコンテンツファイルに対する広告情報を生成し、ＤＭＢチャネルを介して一定半径内のＤＭＢ端末に伝送する。
【００７２】
より詳しくは、コンテンツ提供装置１００は、設定された基準に応じて、コンテンツ格納部に格納されたコンテンツファイルのうちの一つ以上のコンテンツファイルを選択する（Ｓ２００）。この時、コンテンツファイルを選択する際、コンテンツ格納部に格納されているコンテンツファイルのうちの人気のあるコンテンツを選択するか、最近アップデートされたコンテンツファイルを選択することにより、生成された広告情報によって広告効果を極大化できるようにする。この時、ユーザ選択の入力を直接受けて特定コンテンツファイルを選択することもできる。
【００７３】
次に、Ｓ２００ステップを通して広告情報を生成するコンテンツが選択されれば、選択されたコンテンツファイルの種類を把握して広告用画面抽出が可能であるか否かを判断する（Ｓ２２０）。
【００７４】
Ｓ２２０ステップでの判断結果、広告用画面抽出が可能である場合、該当コンテンツファイルから広告用画面情報（例えば、スクリーンショット）を抽出する（Ｓ２３０）。この時、コンテンツファイルのうちの広告用画面抽出が可能なコンテンツファイルにはＭＰＥＧ４、ＡＶＩ、ＪＰＥＧなどがあり、コンテンツファイルが動画である場合、一定時間の間隔で広告用画面を複数抽出するようにすることができる。コンテンツファイルに対する広告用画面を複数抽出する場合、ユーザにユーザ選択を要請し、それに応じたユーザ選択の入力を受けて、一つの広告用画面を該当コンテンツファイルに対する広告用画面に設定する。前記広告用画面はユーザがコンテンツ購買時に購入しようとするコンテンツに対する概略情報を習得するためにユーザに表示されるイメージであり、一般のビットマップイメージ形式（例えば、ＢＭＰ、ＰＮＧ、ＪＰＥＧなど）で格納されることができる。
【００７５】
次に、コンテンツ提供装置１００は、Ｓ２００ステップを通して選択されたコンテンツファイルの各々に対するメタデータを抽出する（Ｓ２４０）。Ｓ２４０ステップで抽出されるメタデータにはコンテンツ名、サービスタイプ、再生時間、解像度、再生時に必要なライブラリ、あらすじ、配布条件、製作者、代表画面ファイル名、販売価格などが含まれる。
【００７６】
一方、Ｓ２４０ステップにおいて、コンテンツ格納部に格納された特定コンテンツファイルからメタデータを抽出できない場合、コンテンツ事業者に該当コンテンツファイルに対するメタデータを要請して提供を受ける。また他の方法としては、ユーザに広告情報を生成するために必要なメタデータの入力を要請し、それに応じた情報の入力をユーザから受けることもできる。
【００７７】
次に、コンテンツ提供装置１００は、Ｓ２３０ステップで抽出した広告用画面情報とＳ２４０ステップで抽出したメタデータを利用して広告情報を生成する（Ｓ２５０）。
【００７８】
一方、生成された広告情報には、本発明に係るコンテンツ提供装置１００から販売中であるコンテンツに対する情報だけでなく、コンテンツ提供装置１００が設置された場所に対する位置情報も含まれる（Ｓ２６０）。
【００７９】
ＤＭＢチャネルを介してＳ２５０ステップおよびＳ２６０ステップを通して生成された広告情報を伝送できるように、ＤＭＢ規格（例えば、ＭＰＥＧ−２ＴＳ）に相応する伝送ストリームを生成する（Ｓ２７０）。また、生成された伝送ストリームをＤＭＢチャネルを利用して一定半径内のＤＭＢ端末にブロードキャストする。すなわち、本発明に係るコンテンツ提供装置１００は、一定半径内のＤＭＢ端末に販売中であるコンテンツに対する様々な情報とコンテンツ提供装置１００が設置された場所に対する位置情報を共に提供することを特徴とする。
【００８０】
前述したことによれば、ユーザ（購買者）は自身のＤＭＢ端末を介し、隣接しているコンテンツ提供装置から獲得可能なコンテンツに対する情報の提供を持続的に受けることができ、購買を希望するコンテンツが存在する場合、コンテンツ提供装置に容易にアクセスして所望のコンテンツの提供を受けることができる。また、ユーザが購買を希望するコンテンツが存在する場合、直ちにコンテンツ提供装置にアクセスして所望のコンテンツを購入すれば良いため、コンテンツ提供装置に自身が望むコンテンツが存在するか否かを検索するために多くの時間を費やさなくて済む。また、一般的に移動中であるユーザの場合、近くに存在するコンテンツ提供装置の設置位置を認知できなかったり、コンテンツ提供装置から販売中である人気コンテンツを認知できなかったりする。しかし、本発明によれば、上記のような問題点を解決することができる。
【００８１】
コンテンツ提供装置の運用者にとっては、ＤＭＢチャネルを利用した広告を通してコンテンツ販売回数を増加できることにより、コンテンツ販売収益を極大化することができる。また、本発明に係るコンテンツ提供装置１００は、広告事業者２００から受信した広告情報（例えば、商品広告など）をＤＭＢチャネルを介して送信される伝送ストリームに含ませて伝送することもできる。そのため、コンテンツ提供装置を、運用者の場合、ＤＭＢチャネルを介して伝送される伝送ストリームデータに商品広告のような別途の広告映像を挿入して広告できることによって別途の収益源を創出することができる。
【００８２】
本発明の一部ステップはコンピュータが読み取り可能な記録媒体にコンピュータが読み取り可能なコードとして実現することができる。コンピュータが読み取り可能な記録媒体は、コンピュータシステムによって読み取られるデータが格納される全種類の記録装置を含む。コンピュータが読み取り可能な記録媒体の例としてはＲＯＭ、ＲＡＭ、ＣＤ−ＲＯＭ、ＣＤ−ＲＷ、磁気テープ、フロッピーディスク、ＨＤＤ、光ディスク、光磁気格納装置などが挙げられ、また、キャリアウェーブ（例えば、インターネットを介した伝送）の形態で実現されるものも含む。また、コンピュータが読み取り可能な記録媒体はネットワークに連結されたコンピュータシステムに分散され、分散方式でコンピュータが読み取り可能なコードとして格納され実行され得る。
【００８３】
以上の通り、図面と明細書により最適な実施形態が開示されている。ここでは、特定の用語が用いられたが、これは単に本発明を説明するための目的で用いられたものであって、意味限定や特許請求の範囲に記載された本発明の範囲を制限するために用いられたものではない。よって、本技術分野の通常の知識を有した者であれば、これより様々な変形および均等な他の実施形態が可能であるという点を理解するはずである。したがって、本発明の真の技術的保護範囲は添付した特許請求の範囲の技術的思想によって定められなければならない。
【符号の説明】
【００８４】
１１０：ＤＭＢ受信部
１１２：受信信号処理部
１１４：エラー補正部
１１６：情報抽出部
１１８：録画部
１２０：録画規則格納部
１２４：コンテンツ格納部
１２６：コンテンツ変換部
１３０：制御部
１３２：広告情報生成部
１３４：相互作用部
１４２：送信信号処理部
１４６：ＤＭＢ送信部
１５０：ネットワーク通信部
２００：広告事業者
２１０：広告サーバ
２２０：広告ＤＢ
３００：コンテンツ事業者
３１０：コンテンツサーバ
３２０：コンテンツＤＢ
【図１】
2010134936.tif 000003
【図２】
2010134936.tif 000004
【図３】
2010134936.tif 000005
【図４】
2010134936.tif 000006
【図５】
2010134936.tif 000007
【図６】
2010134936.tif 000008
【図７】
2010134936.tif 000009
【図８】
2010134936.tif 000010